(57)【要約】【課題】同時に複数枚のカードを接続することができるカード接続装置の提供。【解決手段】カード挿抜方向に摺動可能なスライド部材７と、このスライド部材７を摺動させるモータ１１と、スライド部材７の上下方向に設けられ、第１カード５が接続される第１コネクタ８、第２カード６が接続される第２コネクタ１０とを備えるとともに、モータ制御回路を構成する制御装置４０の演算部４０ｂが、第１，第２コネクタ８，１０の全てに第１，第２カード５，６を接続した後、スライド部材７を装置の奥側へ引き込むようにモータ１１を駆動制御する制御手段を含む構成にしてある。【選択図】      図１４
2004227329.tif 000002
【特許請求の範囲】
【請求項１】
カード挿抜方向に摺動可能なスライド部材と、このスライド部材を摺動させるモータとを備え、
上記スライド部材に、上記カードと接続可能な複数のコネクタを設けるとともに、
上記複数のコネクタの全てに上記カードを接続した後、上記スライド部材を装置の奥側へ引き込むように上記モータを駆動制御する制御手段を設けたことを特徴とするカード接続装置。
【請求項２】
上記請求項１記載の発明において、
上記複数のコネクタのそれぞれに同時に上記カードが接続されたことを検出するスイッチを、上記複数のコネクタのそれぞれに対応させて設け、これらのスイッチから出力される信号に応じて上記制御手段が上記スライド部材を引き込む制御をおこなうことを特徴とするカード接続装置。
【請求項３】
上記請求項１記載の発明において、
上記複数のコネクタのそれぞれに同時に上記カードが接続された後、上記スライド部材を引き込む制御を上記制御手段に実施させるローデイング開始スイッチを設けたことを特徴とするカード接続装置。
【請求項４】
上記請求項１〜３のいずれかに記載の発明において、
上記複数のコネクタが、第１コネクタと第２コネクタとから成るとともに、これらの第１コネクタと第２コネクタを上記スライド部材の上下方向に設けたことを特徴とするカード接続装置。
【請求項５】
上記請求項１記載の発明において、
上記複数のコネクタのうちのいずれか１つのコネクタに上記カードが接続されたとき、上記スライド部材を装置の奥側へ引き込むように上記モータを駆動制御する別の制御手段を設けたことを特徴とするカード接続装置。
【発明の詳細な説明】
【０００１】
【発明の属する技術分野】
本発明は、各種の電子機器に備えられ、情報記憶機能を有するカードを、所定のローディング完了位置まで自動的に移動させることが可能なカード接続装置に関する。
【０００２】
【従来の技術】
従来、挿入口から挿入されたカードを自動的に装置の奥側へ引き込む機能を備えたもの、すなわちオートローディング機構を備えたものがある。この従来技術は、挿入されたカードを装置の奥側へ引き込む送り用ローラと、この送り用ローラによって移動したカードを、さらにモータの作動により所定の装着位置まで摺動させる摺動板、すなわちスライド部材とを備えた構成となっている。
【０００３】
カードが所定の装着位置、すなわちローディング完了位置に至ったとき、カードが停止し、このローディング完了位置において、カードに対する信号の送受信がおこなわれる（例えば、特許文献１参照。）。
【０００４】
【特許文献１】
実開平５−４６８１６号公報
（その明細書の段落番号０００６〜００１０，００４０、図１）
【０００５】
【発明が解決しようとする課題】
上述した従来技術は、単に１枚のカードの接続が可能なものである。しかしながら昨今、より精度の高い情報処理を実現させるために、複数枚のカードの接続が可能なカード接続装置の実現が要望されている。例えば、一方のカードから他方のカードへデータをコピーしたい場合等である。また、このように複数枚のカードが接続可能になった場合には、これらのカードを同時にローディングしたいという要望もある。
【０００６】
本発明は、上記の要望からなされたもので、その目的は、同時に複数枚のカードを接続することができるカード接続装置を提供することにある。
【０００７】
【課題を解決するための手段】
上記目的を達成するために、本発明は、カード挿抜方向に摺動可能なスライド部材と、このスライド部材を摺動させるモータとを備え、上記スライド部材に、上記カードと接続可能な複数のコネクタを設けるとともに、上記複数のコネクタの全てに上記カードを接続した後、上記スライド部材を装置の奥側へ引き込むように上記モータを駆動制御する制御手段を設けたことを特徴としている。
【０００８】
このように構成した本発明は、所定のカード排出位置において、スライド部材に設けた複数のコネクタのそれぞれにカードの挿入が可能なように、これらのコネクタの位置をあらかじめスライド部材上において設定することができる。したがって、例えば複数のコネクタのいずれかのコネクタにカードが挿入されると、このカードが該当するコネクタ内に収納された状態で位置決めされる。すなわち、ローディング動作の開始前の静止状態にあるコネクタ内に、カードを精度よく接続させることができる。
【０００９】
そして、複数のコネクタの全てにカードが接続されたとき、すなわち同時に複数枚のカードが接続されたときには、上述の制御手段によってモータが駆動し、カードが複数のコネクタのそれぞれに接続された状態で、スライド部材がローディング完了位置に向って自動的に引き込まれる。スライド部材がローディング完了位置に至ると、複数枚のカードが停止する。この状態において、カードに対する信号の送受信をおこなわせることができる。この場合例えば、上述の複数枚のカード間の信号の送受信を可能とすることができる。
【００１０】
このように本発明では、複数枚のカードを同時に接続させた状態で、カードのそれぞれに対する信号の送受信が可能となる。
【００１１】
また本発明は、上記発明において、上記複数のコネクタのそれぞれに同時に上記カードが接続されたことを検出するスイッチを、上記複数のコネクタのそれぞれに対応させて設け、これらのスイッチから出力される信号に応じて上記制御手段が上記スライド部材を引き込む制御をおこなうことを特徴としている。
【００１２】
このように構成した本発明は、複数のコネクタのそれぞれに同時にカードが接続されると、すなわち同時に複数枚のカードが接続されると、複数のコネクタのそれぞれに対応して設けられたスイッチが作動して信号が出力される。これらの信号に応じて制御手段がモータを駆動し、スライド部材を所定のローディング完了位置まで引き込む制御が実施される。
【００１３】
また本発明は、上記発明において、上記コネクタのそれぞれに上記カードが接続された後、上記スライド部材を引き込む制御を上記制御手段に実施させるローデイング開始スイッチを設けたことを特徴としている。
【００１４】
このように構成した本発明は、ローディング開始スイッチの操作とともに、同時に複数枚のカードが接続されると、制御手段がモータを駆動し、スライド部材を所定のローディング完了位置まで引き込む制御が実施される。
【００１５】
また本発明は、上記発明において、上記複数のコネクタが、第１コネクタと第２コネクタとから成るとともに、これらの第１コネクタと第２コネクタを上記スライド部材の上下方向に設けたことを特徴としている。
【００１６】
このように構成した本発明は、第１，第２コネクタを上下方向に配置することから、装置の幅寸法を小さく抑えることができ、装置のコンパクト化を実現できる。
【００１７】
また本発明は、上記発明において、上記複数のコネクタのうちのいずれか１つのコネクタに上記カードが接続されたとき、上記スライド部材を装置の奥側へ引き込むように上記モータを駆動制御する別の制御手段を設けたことを特徴としている。
【００１８】
このように構成した本発明は、複数のコネクタのうちのいずれか１つのコネクタのみにカードが接続されると、別の制御手段によってモータが駆動し、カードが該当するコネクタに接続された状態で、スライド部材がローディング完了位置に向かって自動的に引き込まれる。スライド部材がローディング完了位置に至ると、カードが停止する。この状態において、カードに対する信号の送受信をおこなわせることができる。すなわち、本発明は、１枚のカードのみが接続された状態におけるカードに対する信号の送受信も可能となる。
【００１９】
【発明の実施の形態】
以下、本発明に係るカード接続装置の実施形態を図に基づいて説明する。
【００２０】
［複数のコネクタの配設構造］
図１は本発明の一実施形態を示す説明図で、（ａ）図は平面図、（ｂ）図は正面図、（ｃ）図は（ａ）図のＡ−Ａ断面図、図２は図１の（ｂ）図のＢ−Ｂ断面図、図３は図２のＣ−Ｃ断面図である。
【００２１】
図４は本実施形態におけるカード挿入時の状態を示す図、図５は図４のＤ−Ｄ断面図で、第２カードが挿入された状態を示す図、図６は図４のＤ−Ｄ断面図で、第１カードが挿入された状態を示す図である。
【００２２】
図７は本実施形態におけるローディング完了時の状態を示す図、図８は図７のＥ−Ｅ断面図で、第２カードが挿入されている状態を示す図、図９は図７のＥ−Ｅ断面図で、第１カードが挿入されている状態を示す図である。
【００２３】
図１に示すように、本実施形態は、基台を形成するブラケット１と、このブラケット１を覆うように設けられるホルダ２を備え、これらのブラケット１とホルダ２とによって、後述の各部品、及びカードが収納される筐体を形成させてある。図１の（ａ）図の左端、下方には、第１カード５が挿入される第１挿入口３を形成してあり、上方には、第２カード６が挿入される第２挿入口４を形成してある。第１カード５、第２カード６とも情報記憶機能を有するカードであるが、例えば、互いに異なる種類のカードを形成している。すなわち、第１カード５は長さ寸法が比較的短いカードであり、第２カード６は第１カード５に比べて長さ寸法が長く設定されたカードである。
【００２４】
本実施形態は、図１の（ｃ）図、及び図３等に示すように、カード挿抜方向、すなわち図３の左右方向に摺動可能なスライド部材７を備えている。このスライド部材７に、カードと接続可能な複数のコネクタ、例えば第１カード５を接続可能な第１コネクタ８と、第２カード６を接続可能な第２コネクタ１０を設けてある。
【００２５】
第１コネクタ８と第２コネクタ１０とは、図３に示すように、スライド部材７の上下方向に設けてある。すなわち、下側に第１コネクタ８を設け、上側に第２コネクタ１０を設けてある。図３に示すように、スライド部材７上に第１コネクタ８を固定してある。また、スライド部材７の上部にプリント回路基板９を固定してあり、このプリント回路基板９上に、第２コネクタ１０を固定してある。第１コネクタ８は奥側に、第１カード５の接触部と接触可能な端子部材８ａを備えている。同様に、第２コネクタ１０も奥側に、第２カード６の接触部と接触可能な端子部材１０ａを備えている。
【００２６】
これらの第１コネクタ８と、第２コネクタ１０とは、第１カード５と第２カード６との引き込み量を考慮して、例えば同じ引き込み量となるように、図３に示すように、カード挿抜方向に対して互いにずらして配置してある。第１コネクタ８は、長さ寸法の短い第１カード５に対応させて、第１挿入口３の近傍に位置させてある。第２コネクタ１０は、長さ寸法の長い第２カード６に対応させて、第２挿入口４から離れた位置に配置してある。
【００２７】
［モータ・スイッチ・モータ制御回路・可撓性部材の配設構造］
また本実施形態は、図１の（ｃ）図、及び図２等に示すように、スライド部材７上に、このスライド部材７を摺動させるモータ１１を備えている。このモータ１１の出力軸にはウォーム１２を装着させてある。このウォーム１２と、筐体側すなわちホルダ２に設けたラック１７との間に、後述のギヤ機構を配置してある。
【００２８】
スライド部材７上に設けられるプリント回路基板９には、図２，３等に示すように、スイッチ１８を設けてある。このスイッチ１８は、筐体側に固設した図２等に示す第１突起１９、第２突起２０のそれぞれに係合して作動し、所定の信号を出力する。すなわち、このスイッチ１８は、第２突起２０に係合したときローディング完了に相当する信号を出力し、第１突起１９に係合したときイジェクト完了に相当する信号を出力する。
【００２９】
また、プリント回路基板９上に配置される第２コネクタ１０の複数の端子部材１０ａのうちの特定の端子部材１０ａは、この第２コネクタ１０に挿入される第２カード６の接続を検出するスイッチＳＷ２を構成している。同様に、スライド部材７上に設けられる第１コネクタ８の複数の端子部材８ａのうちの特定の端子部材８ａは、この第１コネクタ８に挿入される第１カード５の接続を検出するスイッチＳＷ１を構成している。
【００３０】
図１３は本実施形態の外観を模式的に示した斜視図、図１４は本実施形態に備えられるモータ制御回路の要部を示すブロック図である。
【００３１】
これらの図１３，１４に示すように、本実施形態は、符号ＳＷ３で示すさらに別のスイッチを備えている。このスイッチＳＷ３は、第１コネクタ８、第２コネクタ１０のそれぞれに同時に第１カード５、第２カード６が接続された後、スライド部材７を装置の奥側へ引き込む制御を実施させるローディング開始スイッチを構成している。また、本実施形態は、ローディング完了位置、すなわち所定の装着位置に保持されている第１カード５、第２カード６を排出操作させるためのイジェクト釦４１も備えている。
【００３２】
モータ制御回路は、図１４に示すように、上述したスイッチＳＷ１，ＳＷ２，ＳＷ３、スイッチ１８、及びイジェクト釦４１と、これらのスイッチＳＷ１，ＳＷ２，ＳＷ３、スイッチ１８、及びイジエクト釦４１から出力される信号に応じてモータ１１を駆動制御する信号を出力する制御装置４０とから成っている。
【００３３】
上述の制御装置４０は、スイッチＳＷ１，ＳＷ２，ＳＷ３、スイッチ１８、及びイジェクト釦４１からの信号を入力する入力部４０ａと、論理判断機能を有する演算部４０ｂと、この演算部４０ｂにおける演算結果、すなわち判断結果に応じた駆動制御信号をモータ１１に出力する出力部４０ｃとを備えている。
【００３４】
上述の演算部４０ｂは、第１コネクタ８、第２コネクタ１０の全てに第１カード５、第２カード６を接続した後、スライド部材７を装置の奥側へ引き込むようにモータ１１を駆動制御する制御手段を含んでいる。
【００３５】
また、この演算部４０ｂは第１コネクタ８に第１カード５が接続されたときに、あるいは第２コネクタ１０に第２カード６が接続されたときに、すなわち、どちらか一方のコネクタのみにカードが接続されたときに、スライド部材７を装置の奥側へ引き込むようにモータ１１を駆動制御する別の制御手段も含んでいる。
【００３６】
そして例えば、図３等に示すように、スライド部材７上に設けられる第１コネクタ８の信号線と、モータ１１の信号線は、プリント回路基板９を介して、このプリント回路基板９の下部に固定される第１外部コネクタ２１に接続させてある。また、プリント回路基板９上に配置される第２コネクタ１０の信号線と、スイッチ１８の信号線は、プリント回路基板９を介して、このプリント回路基板９の上部に固定される第２外部コネクタ２２に接続させてある。第１外部コネクタ２１、第２外部コネクタ２２は、図１の（ａ）図、及び図２等に示すように、外部の信号系統に接続させる可撓性接続部材、例えばフレキシブルプリント基板２３に接続させてある。
【００３７】
［ギヤ機構］
図１０は本実施形態に備えられるギヤ機構の要部のローディング開始前の状態を示す平面図、図１１は図１０のＦ−Ｆ断面図、図１２は図１０に示すギヤ機構の要部のローディング完了時の状態を示す平面図である。
【００３８】
本実施形態に備えられるギヤ機構は、図１の（ｃ）図に示すように、スライド部材７上に配置してあり、図２等に示すように、例えばモータ１１の出力軸に設けたウォーム１２と噛み合うギヤ１３と、このギヤ１３と噛み合うギヤ１４と、このギヤ１４と噛み合うギヤ１５と、このギヤ１５及びラック１７と噛み合うピニオンギヤ１６とを含んでいる。このギヤ機構に含まれるギヤのうちのギヤ１５は、モータ１１側に配置される特定のギヤ、すなわち第１歯車を構成し、このギヤ１５に噛み合うピニオンギヤ１６は、ギヤ１５の回転力をスライド部材７を摺動させる力として伝える第２歯車を構成している。
【００３９】
上述の第１歯車を構成するギヤ１５は、所定の排出位置における第２歯車、すなわちピニオンギヤ１６の回転を規制可能な規制部を備えている。この規制部は、図１０，１１に示すように、第１歯車を構成するギヤ１５の歯の上面よりも下方に形成され、第２歯車を構成するピニオンギヤ１６の特定の歯１６ｃが当接可能な欠歯部１５ａから成っている。この欠歯部１５ａの周側面は、ギヤ１５を構成する小歯車の歯先円上に位置するように設定してある。また、第２歯車を構成するピニオンギヤ１６の一部の歯１６ｂ等の下方に、上述の欠歯部１５ａを回転可能に収納する空間部１６ａを形成させてある。図４等に示すように、所定の排出位置に第１カード５、第２カード６が位置するときには、図１０に示すように、第２歯車を構成するピニオンギヤ１６の一部の歯１６ｂ等が、第１歯車を構成するギヤ１５の欠歯部１５ａの上方に位置し、ピニオンギヤ１６の特定の歯１６ｃが、欠歯部１５ａの周側面に当接して当接部１６ｄを形成する。
【００４０】
［本実施形態の動作］
以下、このように構成した本実施形態の動作について図１５に示すフローチャートも適宜用いて説明する。
【００４１】
なお、図１５は図１４に示すモータ制御回路を構成する制御装置に備えられる演算部における処理手順、すなわち演算部に含まれる制御手段、及び別の制御手段の内容を示すフローチャートである。
【００４２】
［カード挿入前の待機状態］
図１３，１４に示されるスイッチＳＷ３は、例えばＯＮとなるように予め設定される。
【００４３】
また、図２，３に示すように、スライド部材７は、第１，第２挿入口３，４側に位置し、静止している。このとき、図１０，１１に示すように、ギヤ機構に含まれるピニオンギヤ１６の特定の歯１６ｃは、第１歯車を構成するギヤ１５の欠歯部１５ａの周側面に当接して当接部１６ｄを形成している。
【００４４】
［第１カード５の第１コネクタ８への挿入のみの動作］
上述の待機状態から、例えば図６に示すように、第１挿入口３から第１コネクタ８に第１カード５が挿入されるものとする。このとき、図１０の矢印４０に示すように第１カード５の挿入力がギヤ機構に与えられたとしても、ピニオンギヤ１６とギヤ１５とが当接部１６ｄにおいてロックされており、このためにピニオンギヤ１６、ギヤ１５等に回転を生じない。したがって、静止状態に保持されている第１コネクタ８に対して第１カード５を挿入でき、第１カード５は第１コネクタ８に高精度に位置決めされ、接続される。
【００４５】
この第１カード５の接続が第１コネクタ８に備えられるスイッチＳＷ１で検出されると、図１４に示すように、スイッチＳＷ１からの検出信号が制御装置４０の入力部４０ａを介して演算部４０ｂに入力される。この演算部４０ｂで、スイッチＳＷ１からの検出信号に基づく以下の処理が実施される。
【００４６】
すなわち、演算部４０ｂで図１５の手順Ｓ１に示すように、まずスイッチＳＷ３がＯＮかＯＦＦか判断される。今はＯＮに設定してあるので、手順Ｓ２に移る。この手順Ｓ２ではスイッチＳＷ１がＯＮかＯＦＦか判断される。今は第１カード５の接続によりＯＮとなったことから、手順Ｓ３に移る。この手順Ｓ３では、モータＯＮ制御が実施される。すなわち、モータ１１を駆動させる制御信号が図１４に示す制御装置４０の出力部４０ｃからモータ１１に出力される。これによりモータ１１が駆動する。このモータ１１の駆動により、図４等に示すウォーム１２が回転し、これに伴ってギヤ１３、ギヤ１４が回転し、第１歯車を構成するギヤ１５が図１０の矢印４１方向に回転する。ギヤ１５の回転により、その欠歯部１５ａが、ピニオンギヤ１６の一部の歯１６ｂ等の下方に形成される空間部１６ａ内を回転し、やがて、ギヤ１５の歯とピニオンギヤ１６の特定の歯１６ｄとが噛合する。この状態に至ったときから、ピニオンギヤ１６が図１０の矢印４２方向に回転する。
【００４７】
［第１カード５に係るローディング動作］
ピニオンギヤ１６とラック１７との噛み合いにより、ピニオンギヤ１６の回転に伴って、ギヤ機構が設けられているスライド部材７が図６の矢印４３に示すように、ローディング完了位置、すなわち所定の装着位置に向かって移動を開始する。
【００４８】
このスライド部材７の移動の間、スライド部材７上の第１カード５が接続された第１コネクタ８、プリント回路基板９、カードが接続されていない第２コネクタ１０、モータ１１、ギヤ機構、及びスイッチ１８が、スライド部材７と一緒に移動する。
【００４９】
図４に示すスイッチ１８が、第２突起２０に係合したとき、スイッチ１８が作動し、その信号に基づいてモータ１１が停止する。これに伴って、ギヤ機構が停止し、スライド部材７が停止する。同時に第１カード５が接続された第１コネクタ８が停止する。これによりローディング動作が完了し、第１カード５は所定の装着位置に保持される。したがって、この状態において、第１コネクタ８、プリント回路基板９、第１外部コネクタ２１、フレキシブルプリント基板２３を介して、第１カード５に対する信号の送受信が可能となる。図７，９は、このときの状態を示している。
【００５０】
このようにスライド部材７が上述したローディング完了位置に、すなわち所定の装着位置に保持されているときには、第１歯車を構成するギヤ１５とピニオンギヤ１６とは、図１２に示す状態に保たれている。すなわち、ギヤ１５の歯とピニオンギヤ１６の歯とが噛み合った状態に保持される。
【００５１】
［第１カード５に係るイジェクト動作］
上述のように、第１コネクタ８に接続された第１カード５が所定の装着位置に保持されている状態から、図１４に示すイジェクト釦４１が操作されると、モータ１１が上述とは逆方向に回転する。これに伴って、ギヤ機構が上述とは逆方向に回転する。すなわち、図１２に示すように、第１歯車を構成するギヤ１５が矢印４３方向に回転し、ギヤ１５と噛み合うピニオンギヤ１６が矢印４４方向に回転する。これにより、スライド部材７が図９の矢印４５方向に、すなわち排出方向に移動する。
【００５２】
スライド部材７が排出方向に移動する間、前述したように、スライド部材７上の第１カード５が接続された第１コネクタ８、プリント回路基板９、カードが接続されていない第２コネクタ１０、モータ１１、ギヤ機構、及びスイッチ１８が、スライド部材７と一緒に移動する。
【００５３】
図４に示すように、スイッチ１８が第１突起１９に係合したとき、このスイッチ１８が作動し、これに基づいてモータ１１が停止する。これにより、ギヤ機構が停止し、スライド部材７が停止する。同時に、第１カード５が接続された第１コネクタ８が停止する。すなわち、イジェクト動作が完了する。この状態に至ると、第１コネクタ８からの第１カード５の取り出しが可能となる。
【００５４】
なお、このイジェクト動作完了時には、ギヤ機構に含まれる第１歯車を構成するギヤ１５とピニオンギヤ１６は、図１０に示す状態に復帰する。すなわち、ピニオンギヤ１６の特定の歯１６ｃが、ギヤ１５の欠歯部１５ａの周側面に当接し、当接部１６ｄを形成する状態となる。
【００５５】
［第２カード６の第２コネクタへの挿入のみの動作］
第２カード６の第２コネクタ１０への挿入動作時も、基本的には、上述した第１カード５の第１コネクタタ８への挿入動作時と同じである。
【００５６】
すなわち、図２，３に示した待機状態において、図５に示すように、第２挿入口４から第２コネクタ１０に第２カード６が挿入される。このとき、上述したように図１０の矢印４０に示すように第２カード６の挿入力がギヤ機構に与えられたとしても、ピニオンギヤ１６とギヤ１５とが当接部１６ｄにおいてロックされ、ピニオンギヤ１６、ギヤ１５等に回転を生じない。したがって、静止状態に保持されている第２コネクタ１０に対して第２カード６を挿入でき、第２カード６は第２コネクタ１０に高精度に位置決めされ、接続される。
【００５７】
この第２カード６の接続が第２コネクタ１０に備えられるスイッチＳＷ２で検出されると、スイッチＳＷ２からの検出信号が図１４に示す制御装置４０の入力部４０ａを介して演算部４０ｂに入力され、演算部４０ｂでスイッチＳＷ２からの検出信号に基づく以下の処理が実施される。
【００５８】
すなわち、演算部４０ｂで図１５の手順Ｓ１に示すように、スイッチＳＷ３がＯＮかＯＦＦかまず判断されるが、今はＯＮであるので手順Ｓ２に移る。この手順Ｓ２ではスイッチＳＷ１がＯＮかＯＦＦか判断される。今は第１カード５は接続されていないのでスイッチＳＷ１はＯＦＦであり、手順Ｓ４に移る。この手順Ｓ４ではスイッチＳＷ２がＯＮかＯＦＦか判断される。今は第２カード６の接続によりＯＮとなったことから、手順Ｓ３に移る。この手順Ｓ３では前述したように、モータＯＮ制御が実施される。すなわち、モータ１１を駆動させる制御信号が図１４に示す制御装置４０の出力部４０ｃから出力される。これによりモータ１１が駆動する。このモータ１１の駆動により、前述したようにピニオンギヤ１６が回転し、スライド部材７が図５の矢印４６で示すように、ローディング完了位置、すなわち、所定の装着位置に向って移動を開始する。
【００５９】
このスライド部材７の移動の間、スライド部材７上の第２カード６が接続された第２コネクタ１０、プリント回路基板９、カードが接続されていない第１コネクタ８、モータ１１、ギヤ機構、及びスイッチ１８が、スライド部材７と一緒に移動する。
【００６０】
そして、図４に示すスイッチ１８が、第２突起２０に係合したとき、スイッチ１８が作動し、その信号に基づいて前述したようにモータ１１が停止する。これに伴って、ギヤ機構が停止し、スライド部材７が停止する。同時に第２カード６が接続された第２コネクタ１０が停止する。これによりローディング動作が完了し、第２カード６は所定の装着位置に保持される。したがって、この状態において、第２コネクタ１０、プリント回路基板９、第２外部コネクタ２２、フレキシブルプリント基板２３を介して、第２カード６に対する信号の送受信が可能となる。図７，８は、このときの状態を示している。
【００６１】
上述したローディング完了時には、第１歯車を構成するギヤ１５とピニオンギヤ１６は、前述したとおり、図１２に示す状態に保たれる。
【００６２】
［第２カード６に係るイジェクト動作］
上述のように、第２コネクタ１０に接続された第２カード６が所定の装着位置に保持されている状態から、図１４に示すイジェクト釦４１が操作されると、モータ１１が上述とは逆方向に回転する。これに伴って、ギヤ機構が上述とは逆方向に回転する。これにより、スライド部材７が図８の矢印４７方向に、すなわち排出方向に移動する。
【００６３】
スライド部材７が排出方向に移動する間、前述したように、スライド部材７上の第２カード６が接続された第２コネクタ１０、プリント回路基板９、カードが接続されていない第１コネクタ８、モータ１１、ギヤ機構、及びスイッチ１８が、スライド部材７と一緒に移動する。
【００６４】
図４に示すように、スイッチ１８が第１突起１９に係合したとき、前述したようにモータ１１が停止し、スライド部材７が停止し、第２カード６が接続された第２コネクタ１０が停止する。すなわち、イジェクト動作が完了する。この状態に至ると、第２コネクタ１０からの第２カード６の取り出しが可能となる。このイジェクト完了時には、第１歯車を構成するギヤ１５とピニオンギヤ１６は、図１０に示す状態に復帰する。
【００６５】
［第１カード５と第２カード６の同時接続］
上述では、第１カード５のみの接続、あるいは第２カード６のみの接続が意図されていたが、第１カード５と第２カード６の同時接続を実現させるためには、前述した図１３，１４に示されるスイッチＳＷ３をＯＦＦに設定し直す操作が実施される。
【００６６】
このようにスイッチＳＷ３をＯＦＦに設定した状態で、図６等に示す第１挿入口３から第１コネクタ８に第１カード５が挿入され、図５等に示す第２挿入口４から第２コネクタ１０に第２カード６が挿入される。
【００６７】
このように、第１カード５、第２カード６が挿入される場合も、静止状態に保持されている第１コネクタ８、第２コネクタ１０に対して第１カード５、第２カード６をそれぞれ挿入でき、これらの第１カード５、第２カード６は、第１コネクタ８、第２コネクタ１０のそれぞれに高精度に位置決めされ、接続される。
【００６８】
第１カード５の接続が第１コネクタ８に備えられるスイッチＳＷ１で検出され、第２カード６の接続が第２コネクタ１０に備えられるスイッチＳＷ２で検出されると、スイッチＳＷ１，ＳＷ２のそれぞれからの検出信号が図１４に示す制御装置４０の入力部４０ａを介して演算部４０ｂに入力される。したがって、演算部４０ｂでスイッチＳＷ１，ＳＷ２の双方の検出信号に基づく以下の処理が実施される。
【００６９】
すなわち、演算部４０ｂで図１５の手順Ｓ１に示すように、スイッチＳＷ３がＯＮかＯＦＦか判断される。今はＯＦＦであるので、手順Ｓ６に移る。この手順Ｓ６ではスイッチＳＷ１がＯＮかＯＦＦか判断される。今は第１カード５が接続されているのでスイッチＳＷ１はＯＮであり、手順Ｓ７に移る。この手順Ｓ７ではスイッチＳＷ２がＯＮかＯＦＦか判断される。今は第２カード６が接続されているのでスイッチＳＷ２はＯＮであり、手順Ｓ３に移る。この手順Ｓ３では前述したように、モータＯＮ制御が実施される。すなわち、モータ１１を駆動させる制御信号が図１４に示す制御装置４０の出力部４０ｃから出力される。これによりモータ１１が駆動する。
【００７０】
このモータ１１の駆動により、前述したようにピニオンギヤ１６が回転し、スライド部材７が図５の矢印４６で示すように、ローディング完了位置、すなわち所定値の装着位置に向って移動を開始する。
【００７１】
そして、図４に示すスイッチ１８が第２突起２０に係合するとスイッチ１８が作動し、モータ１１が停止する。すなわち、第１コネクタ８に接続された第１カード５、及び第２コネクタ１０に接続された第２カード６が停止し、これらの第１カード５、第２カード６がローディング完了位置、すなわち所定の装着位置に保持される。この状態において、第１カード５、第２カード６に対する信号の送受信が可能となる。この場合例えば、第１カード５、第２カード６相互間の信号の送受信を可能にさせることができる。
【００７２】
上述したローディング完了時には、第１歯車を構成するギヤ１５とピニオンギヤ１６とは、前述したとおり、図１２に示す状態に保たれる。
【００７３】
［第１カード５、第２カード６双方に係るイジェクト動作］
上述のように、第１コネクタ８に接続された第１カード５、及び第２コネクタ１０に接続された第２カード６のそれぞれが、所定の装着位置に保持されている状態から、図１４に示すイジェクト釦４１が操作されると、モータ１１は上述と逆方向に回転する。これにより、上述したようにスライド部材７と一緒に、第１カード５が接続された第１コネクタ８、および第２カード６が接続された第２コネクタ１０が排出方向に移動する。
【００７４】
図４に示すように、スイッチ１８が第１突起１９に係合するとモータ１１が停止し、これに伴ってスライド部材７、第１コネクタ８、第２コネクタ１０が停止する。すなわちイジェクト操作が完了する。この状態になると、第１コネクタ８からの第１カード５の取り出し、及び第２コネクタ１０からの第２カード６の取り出しが可能となる。このイジェクト完了時には、第１歯車を構成するギヤ１５とピニオンギヤ１６は、図１０に示す状態に復帰する。
【００７５】
なお、上述した制御装置４０の演算部４０ｂの処理において、図１５に示す手順Ｓ４でスイッチＳＷ２がＯＦＦと判断されたときは、待機状態に対応する。すなわち、１枚のカードのみに対する信号の送受信が可能となるようにスイッチＳＷ３がＯＮに設定されている状態で、第１コネクタ８、第２コネクタ１０のいずれにもカードが接続されていない場合である。これは、１枚のカードのみに対する信号の送受信が可能な場合におけるカード挿入前の待機状態に対応している。この場合には、図１５の手順Ｓ５に移り、モータＯＦＦ制御が実施される。すなわち、モータ１１の駆動が停止した状態が維持される。
【００７６】
また、上述した制御装置４０の演算部４０ｂの処理において、図１５に示す手順Ｓ６でスイッチＳＷ１がＯＦＦと判断されたとき、あるいは手順Ｓ７でスイッチＳＷ２がＯＦＦと判断されたときは、別の待機状態に対応する。すなわち、同時に複数のカードに対する信号の送受信が可能となるようにスイッチＳＷ３がＯＦＦに設定されている状態で、第１コネクタ８、第２コネクタ１０の少なくとも一方にカードが挿入されていない場合である。これは、同時に複数枚のカードに対する信号の送受信が可能な場合におけるカード挿入前の待機状態に対応している。この場合には、図１５の手順Ｓ８に移り、モータＯＦＦ制御が実施される。すなわち、この場合にもモータ１１の駆動が停止した状態に維持される。
【００７７】
このように構成した本実施形態は、スライド部材７に、カードと接続可能な複数のコネクタ、すなわち第１，第２のコネクタ８，１０を設けたことから、静止状態にある第１，第２コネクタ８，１０に、第１，第２カードをそれぞれ位置決めでき、したがって、これらの第１，第２カード５，６を精度よく接続させることができ、精度の高い情報処理を実現させることができる。
【００７８】
また本実施形態は、第１，第２のコネクタ８，１０を、スライド部材７の上下方向にそれぞれ設けた構成にしてある。これにより、装置の幅寸法を小さく抑えることができ、装置のコンパクト化を実現でき、実用性に富む。
【００７９】
また本実施形態は、第１カード５と第２カード６とが、互いに長さ寸法の異なるカードから成るとともに、第１カード５が接続される第１コネクタ８と、第２カード６が接続される第２コネクタ１０とを、第１カード５と第２カード６との引き込み量を考慮して、カード挿抜方向に対して互いにずらして配置した構成にしてある。これにより、互いに長さ寸法の異なる第１カード５、第２カード６であっても、同じ引き込み量とすることができる。これに伴い、第１コネクタ８、第２コネクタ１０に対するスライド部材７、ギヤ機構等のローディング機構を共通にすることができ、装置構成の簡略化を実現できるとともに、スライド部材７の駆動制御を簡単にすることができる。
【００８０】
また本実施形態は、スライド部材７に、第１，第２コネクタ８，１０とモータ１１を設け、スライド部材７側にスイッチ１８等を設けるとともに、第１，第２コネクタ８，１０とモータ１１とスイッチ１８等を、外部の信号系統に接続されるフレキシブルプリント基板２３を備えた構成にしてある。これにより、外部信号系統との接続を容易におこなうことができる。したがって、第１，第２コネクタ８，１０に接続された第１，第２カード５，６に対する信号の送受信、及びモータ１１の駆動制御を精度よく実施でき、装置の配線系統に対する信頼性を確保することができる。
【００８１】
また本実施形態は、スライド部材７に、モータ１１によって駆動するギヤ機構を設け、このギヤ機構が、筐体側に設けられたラック１７と噛合するピニオンギヤ１６を含む構成にしてある。これにより、ローディング動作及びイジェクト動作を、ギヤ機構に含まれるピニオンギヤ１６とラック１７との噛み合いを介して、確実におこなわせることができ、装置の駆動機構、すなわちローディング機構に対する信頼性の確保に貢献する。
【００８２】
また本実施形態は、スイッチが、第１，第２カード５，６の第１，第２コネクタ８，１０への接続完了を検出するスイッチＳＷ１，ＳＷ２と、スライド部材７がローディング完了位置に至ったこと、及び所定の排出位置に至ったことを検出するスイッチ１８と、ローディング開始スイッチであるスイッチＳＷ３と、イジェクト釦４１とを含む構成にしてある。これらのスイッチＳＷ１，ＳＷ２，ＳＷ３，１８、及びイジェクト釦４１の作動を介してローディング動作を確実に実施させることができ、装置の駆動制御に対する信頼性の確保に貢献する。
【００８３】
また本実施形態は、上述のようにスイッチＳＷ１，ＳＷ２を第１，第２コネクタ８，１０に設けた構成にしてある。すなわち、第１，第２コネクタ８，１０内に、第１，第２カード５，６が接続されたことを検出するスイッチが含まれる。これにより、簡単なスイッチ構造を実現させることができ、製作費を抑えることができる。
【００８４】
また本実施形態は、ギヤ機構が、モータ１１側に配置される第１歯車すなわちギヤ１５と、このギヤ１５と噛み合い、ギヤ１５の回転力をスライド部材７を摺動させる力として伝える第２歯車、すなわちピニオンギヤ１６とを含んでいる。また、ギヤ１５が、所定の排出位置におけるピニオンギヤ１６の回転を規制可能な規制部、すなわち欠歯部１５ａを備えた構成にしてある。これにより、第１，第２カード５，６を第１，第２コネクタ８，１０に高い精度で位置決めすることができる。また、ローディング開始に際し、第１，第２カード５，６の挿入力がモータ１１に伝えられることがないので、モータ１１に、この挿入力による負荷を与えることがなく、モータ１１を円滑に駆動させることができる。したがって、第１，第２コネクタ８，１０に接続された第１，第２カード５，６を所定の装着位置まで円滑に移動させることができ、装置の駆動制御に対する信頼性を確保することができる。
【００８５】
また本実施形態は、上述したように第１歯車を構成するギヤ１５の規制部が、ギヤ１５の歯の上面よりも下方に形成され、ピニオンギヤ１６の特定の歯１６ａが当接可能な欠歯部１５ａから成り、ピニオンギヤ１６の一部の歯１６ｂの下方に、欠歯部１５ａを回転可能に収納する空間部１６ａを形成してある。そして排出位置において、ピニオンギヤ１６一部の歯１６ｂを、欠歯部１５ａの上方に位置させ、ピニオンギヤ１６の特定の歯１６ｃを、欠歯部１５ａの周側面に当接可能に位置させた構成にしてある。
【００８６】
このように、ギヤ１５に規制部を形成する欠歯部１５ａを設け、ピニオンギヤ１６に欠歯部１５ａの回転を許容させる空間部１６ａを設ける程度の簡単な構成で、第１，第２コネクタ８，１０に対する第１，第２カード５，６の精度の高い位置決めと、第１，第２コネクタ８，１０に接続された第１，第２カード５，６の所定の装着位置までの円滑な移動とを実現できる。したがって、部品点数の増加を招かず、製作費を抑えることができる。
【００８７】
また本実施形態は、ラック１７を筐体側に設けるとともに、モータ１１をスライド部材７に設けた構成にしてある。
【００８８】
このように構成した本実施形態は、筐体すなわちホルダ２の製作時にラック１７を容易に形成することができ、別部品とすることがないので、製作費を抑えることができる。また、スライド部材７にモータを設けたことから、第１，第２コネクタ８，１０の信号系統、モータ１１の信号系統をスライド部材７に関連させて集めることができ、外部の信号系統との接続が容易になる。さらに、ギヤ機構と、このギヤ機構を駆動するモータ１１とをスライド部材７上に設けたことから、モータ１１の回転力をギヤ機構に安定して伝えることができ、装置の構造上の信頼性を確保できる。
【００８９】
そして、特に本実施形態は、モータ制御回路に備えられる制御装置４０が、第１，第２コネクタ８，１０の全てに第１，第２カード５，６を接続した後、スライド部材７を装置の奥側へ引き込むようにモータ１１を駆動制御する制御手段を含む演算部４０ｂを有する構成にしてある。
【００９０】
この構成により、第１，第２カード５，６を同時に接続させた状態で、これらの第１，第２カード５，６のそれぞれに対する信号の送受信が可能となり、より精度の高い情報処理の実現に貢献する。例えば、第１，第２カード５，６間の信号の送受信も実現させることができる。
【００９１】
さらに本実施形態は、上述の演算部４０ｂが、第１コネクタ８、第２コネクタ１０のいずれか１つのコネクタにカードが接続されたときに、スライド部材７を装置の奥側へ引き込むようにモータ１１を駆動制御する別の制御手段も含む構成にしてある。
【００９２】
この構成により、第１カード５、あるいは第２カード６の１枚のカードのみが接続された状態における該当するカードに対する信号の送受信も可能となる。これにより多機能化を実現させることができる。
【００９３】
図１６は例えば本実施形態の第２コネクタにおいて、第２カードの排出動作が可能な排出部材を、第２カードが第２コネクタに接続された状態でロックするロック機構を備えた場合を示す図である。図１７は図１６に示すロック機構の動作を示す図で、（ａ）図は第２カード挿入時を示す図、（ｂ）図は第２カード挿入途中の状態を示す図、（ｃ）図は第２カードを第２コネクタに接続したときの排出部材のロック状態を示す図である。
【００９４】
本実施形態において、これらの図１６，１７に示すように、第２カード６の排出動作が可能な排出部材３０と、この排出部材３０をロックするロック機構とを備えた構成にしてもよい。
【００９５】
このロック機構は、カード挿抜方向に移動可能な第２カード６用の排出部材３０と、この排出部材３０を排出方向に付勢する付勢部材３１と、排出部材３０を付勢部材３１の付勢力に抗してロックするロック手段とを含んでいる。
【００９６】
上述した排出部材３０は、第２カード６の前端部が係合可能な突出部３０ａと、第２カード６の側縁に形成された凹部６ｃに係合して、この第２カード６を保持する弾性部材３０ｂとを備えている。上述した付勢部材３１は例えばコイルばねから成っている。
【００９７】
上述したロック手段は、例えばハート型カム溝３３を含むとともに、排出部材３０に対して揺動可能に設けられ、端部にハート型カム溝３３上を摺動するピン３２ａを備えた摺動部材３２を含んでいる。ハート型カム溝３３は、往路３３ａと、復路３３ｂと、これらの往路３３ａと復路３３ｂの境界部に形成され、摺動部材３２のピン３２ａが係止されるロック部３３ｃとを備えている。
【００９８】
このように構成したものでは、第２カード６の第２コネクタ１０への挿入時に、図１７の（ａ）図に示すように、第２カード６の凹部６ｃに排出部材３０の弾性部材３０ｂが係合し、第２カード６の前端部が排出部材３０の突出部３０ａに係合する。
【００９９】
同図１７の（ｂ）図に示すように、さらに第２カード６を押し込む間、突出部３０ａを介して排出部材３０が移動し、排出部材３０と一体的に摺動部材３２が移動する。すなわち、摺動部材３２に設けたピン３２ａが、ハート型カム溝３３の往路３３ａ上を移動する。
【０１００】
引き続き第２カード６を押し込み、オーバストロークさせた状態で第２カード６に対する押し込み力を解くと、同図１７の（ｃ）図に示すように、摺動部材３２のピン３２ａがハート型カム溝３３のロック部３３ｃに係止されるとともに、第２カード６が第２コネクタ１０に正しく接続される。すなわち、第２カード６が第２コネクタ１０に接続された状態で、排出部材３０がロックされる。
【０１０１】
上述した第２カード６の第２コネクタ１０への接続により、第２コネクタ１０に設けたスイッチＳＷ２が作動し、前述したようにモータ１１が駆動する。これにより、排出部材３０がロック状態に保たれたまま、スライド部材７が所定の装着位置に向かって移動する。ローディング動作が完了すると、前述のように第２カード６に対する信号の送受信が可能となる。
【０１０２】
イジェクト動作時には、スライド部材７が排出方向に移動し、スイッチ１８が第１突起１９に係合する。これによりモータ１１が停止し、スライド部材７、及び第２カード６が接続された第２コネクタ１０が停止する。図１７の（ｃ）図は、このときの状態に相当する。
【０１０３】
この状態において、第２カード６の後端部を装置の奥側に向って押し、オーバストロークさせると、摺動部材３２のピン３２ａはハート型カム溝３３のロック部３３ｃから外れ、付勢部材３１の付勢力により排出部材３０が排出方向に移動する。すなわち、摺動部材３２のピン３２ａがハート型カム溝３３の復路３３ｂ上を摺動する。これらの動作により、排出部材３２の突出部３０ａを介して、第２カード６が第２挿入口４から押し出される。図１７の（ａ）図は、このときの状態に相当する。
【０１０４】
このように構成したものは特に、第２カード６が所定の装着位置に保持されている状態で、装置の信号系統等に故障を生じ、スライド部材７、第２コネクタ１０等が動かなくなった非常時に有効である。このような非常時には、例えば図８に示すように第２挿入口４から第２カード６の後端部がわずかながらも突出している場合には、その後端部を直接押して第２カード６をオーバストロークさせればよい。また、第２カード６が第２挿入口４から突出せず、わずかながらも筐体内部に収納されている場合には、第２挿入口４から例えば細い棒体などを差し込み、第２カード６の後端部を押して、第２カード６をオーバストロークさせればよい。
【０１０５】
このような第２カード６に対するオーバストローク操作により、ハート型カム溝３３のピン３２ａがロック部３３ｃから外れ、付勢部材３１の付勢力により排出部材３０が排出方向に移動する。この排出部材３０の突出部３０ａを介して、第２挿入口４から第２カード６を押し出すことができる。
【０１０６】
この状態では、第２コネクタ６は所定の装着位置に保持されていることから、第２挿入口４から突出する第２カード６の突出量は比較的小さいものの、図８に示す突出量よりも大きくすることができる。すなわち、第２カード６を第２挿入口４から取り出し可能にすることができる。
【０１０７】
このように非常時には、第２カード６を直ぐに取り出すことができ、この点で第２カード６に対する信号処理操作に対する信頼性の向上に貢献する。
【０１０８】
また、上述したロック手段を構成するハート型カム溝３３と、ピン３２ａを含む摺動部材３２は、製作が容易な簡単な構造のものとすることができ、製作費の抑制に貢献する。
【０１０９】
上記では、第２コネクタ１０が、第２カード６の排出動作が可能な排出部材３０と、この排出部材３０をロックするロック機構を備えた構成にしてあるが、第１コネクタ８が、第１カード５の排出動作が可能な排出部材とロック機構とを備えた構成にしてもよい。
【０１１０】
なお、上記実施形態では、異なる種類の第１，第２カード５，６の装着が可能な第１，第２コネクタ８，１０を設けてあるが、本発明は、このように構成することには限られず、同じ種類のカードの装着が可能な複数のコネクタを設けた構成にしてもよい。
【０１１１】
また、上記実施形態では、スライド部材７の上下方向に複数のコネクタ、すなわち第１，第２コネクタ８，１０を設けた構成にしてあるが、本発明は、このように構成することには限られず、スライド部材７の左右方向に複数のコネクタを設けた構成にしてもよい。
【０１１２】
【発明の効果】
以上のように本発明は、スライド部材に、カードを接続可能な複数のコネクタを設けたことから、静止状態にあるコネクタのそれぞれに該当するカードを位置決めでき、これによって複数枚のカードを精度よく接続できる。また、同時に複数枚のカードを接続することができる。これらにより、従来に比べて精度の高い情報処理を実現させることができる。
【図面の簡単な説明】
【図１】本発明のカード接続装置の一実施形態を示す説明図で、（ａ）図は平面図、（ｂ）図は正面図、（ｃ）図は（ａ）図のＡ−Ａ断面図である。
【図２】図１の（ｂ）図のＢ−Ｂ断面図である。
【図３】図２のＣ−Ｃ断面図である。
【図４】本実施形態におけるカード挿入時の状態を示す図である。
【図５】図４のＤ−Ｄ断面図で、第２カードが挿入された状態を示す図である。
【図６】図４のＤ−Ｄ断面図で、第１カードが挿入された状態を示す図である。
【図７】本実施形態におけるローディング完了時の状態を示す図である。
【図８】図７のＥ−Ｅ断面図で、第２カードが挿入されている状態を示す図である。
【図９】図７のＥ−Ｅ断面図で、第１カードが挿入されている状態を示す図である。
【図１０】本実施形態に備えられるギヤ機構の要部のローディング開始前の状態を示す平面図である。
【図１１】図１０のＦ−Ｆ断面図である。
【図１２】図１０に示すギヤ機構の要部のローディング完了時の状態を示す平面図である。
【図１３】本実施形態の外観を模式的に示した斜視図である。
【図１４】本実施形態に備えられるモータ制御回路の要部を示すブロック図である。
【図１５】図１４に示すモータ制御回路を構成する制御装置に備えられる演算部における処理手順、すなわち演算部に含まれる制御手段の内容及び別の制御手段の内容を示すフローチャートである。
【図１６】本実施形態の第２コネクタにおいて、第２カードの排出動作が可能な排出部材を、第２カードが第２コネクタに接続された状態でロックするロック機構を備えた場合を示す図である。
【図１７】図１６に示すロック機構の動作を示す図で、（ａ）図は第２カード挿入時を示す図、（ｂ）図は第２カード挿入途中の状態を示す図、（ｃ）図は第２カードを第２コネクタに接続したときの排出部材のロック状態を示す図である。
【符号の説明】
３    第１挿入口
４    第２挿入口
５    第１カード
６    第２カード
７    スライド部材
８    第１コネクタ
８ａ  端子部材
９    プリント回路基板
１０  第２コネクタ
１０ａ  端子部材
１１    モータ
１２    ウォーム
１３    ギヤ
１４    ギヤ
１５    ギヤ
１６    ピニオンギヤ
１７    ラック
１８    スイッチ
１９    第１突起
２０    第２突起
２１    第１外部コネクタ
２２    第２外部コネクタ
２３    フレキシブルプリント基板（可撓性接続部材）
４０    制御装置
４０ａ  入力部
４０ｂ  演算部
４０ｃ  出力部
４１    イジェクト釦
ＳＷ１  スイッチ
ＳＷ２  スイッチ
ＳＷ３  スイッチ
【図１】
2004227329.tif 000003
【図２】
2004227329.tif 000004
【図３】
2004227329.tif 000005
【図４】
2004227329.tif 000006
【図５】
2004227329.tif 000007
【図６】
2004227329.tif 000008
【図７】
2004227329.tif 000009
【図８】
2004227329.tif 000010
【図９】
2004227329.tif 000011
【図１０】
2004227329.tif 000012
【図１１】
2004227329.tif 000013
【図１２】
2004227329.tif 000014
【図１３】
2004227329.tif 000015
【図１４】
2004227329.tif 000016
【図１５】
2004227329.tif 000017
【図１６】
2004227329.tif 000018
【図１７】
2004227329.tif 000019